(57)【要約】【課題】共聴設備から受信機側へ映像と共に映像に関連した情報をデータ放送コンテンツにより提供することが可能なデジタル共聴システムを提供する。【解決手段】コンテンツサーバにおいて、カメラで撮影される映像の管理番号及び名称と当該映像に連動して提供すべきデータ放送コンテンツとを対応付けた対比リストをデータベースに予め記憶しておき、ＣＣＴＶサーバから切替対象となる映像の管理番号を含む映像切替情報を受信したとき、映像切替情報に含まれる映像の管理番号に基づいて、データベース中の対比リストを参照し、この参照結果に基づいてデータ放送コンテンツを動的に生成し、データ放送送出装置に送出してデータ放送コンテンツを各テレビジョン受信機に事前に配信し、送出後にＣＣＴＶサーバに対し映像の切替指示を送信するとともに、各テレビジョン受信機に対しデータ放送コンテンツに切り替えるイベントメッセージを送信するようにした。【選択図】      図１
2012060404.tif 000002
【特許請求の範囲】
【請求項１】
デジタル放送信号の映像を通信ネットワークを介して配信し、映像切替制御開始要求に応じて配信中の映像を任意の映像に切り替えて送出するデジタル放送送信部と、
前記通信ネットワークに接続され、前記デジタル放送送出部から通知される指示に基づいて前記デジタル放送信号の映像に連動して提供すべき関連付け情報を生成するコンテンツサーバと、
このコンテンツサーバにより生成された関連付け情報と、前記デジタル放送送信部により送信されるデジタル放送信号とを多重し、この多重信号を選択的に再生する放送受信端末装置へ向けて送信する編成部とを具備し、
前記コンテンツサーバは、
前記デジタル放送信号の映像を特定する映像ＩＤと当該映像に連動して提供すべき関連付け情報とを対応付けたリストを記憶する記憶手段と、
前記デジタル放送送信部から切替対象となる映像ＩＤを含む映像切替情報を受信した場合、前記映像切替情報に含まれる前記映像ＩＤに基づいて、前記記憶手段に記憶されたリストを参照し、この参照結果に基づいて前記映像ＩＤに対応する関連付け情報を生成し、前記映像ＩＤに対応する関連付け情報を前記編成部に送出し、しかる後に前記デジタル放送送信部に対し映像切替制御開始要求を送信する制御手段と、
この制御手段による関連付け情報の送出後に、前記放送受信端末装置に対し前記関連付け情報に切り替えるイベントメッセージを送信するイベント送信手段とを備えることを特徴とするデジタル共聴システム。
【請求項２】
前記デジタル放送送信部は、前記コンテンツサーバに対し予め設定される時間ごとに前記映像切替情報を通知することを特徴とする請求項１記載のデジタル共聴システム。
【請求項３】
前記デジタル放送送信部は、指示入力により前記コンテンツサーバに対し前記映像切替情報を通知することを特徴とする請求項１記載のデジタル共聴システム。
【請求項４】
複数のデジタル放送送信部を備え、これら複数のデジタル放送送信部は、映像切替の指示入力により前記コンテンツサーバに対し前記映像切替情報を通知する第１グループと、前記コンテンツサーバに対し予め設定される時間ごとに前記映像切替情報を通知する第２グループとに分割されることを特徴とする請求項１記載のデジタル共聴システム。
【請求項５】
前記編成部は、前記デジタル放送信号の映像画面に前記関連付け情報の文字を重ねる画面合成手段を備えることを特徴とする請求項１記載のデジタル共聴システム。
【請求項６】
前記編成部は、前記コンテンツサーバにより送られる関連付け情報を前記デジタル放送信号の信号形式となるデータ放送コンテンツに変換する信号変換部と、この信号変換部の出力と前記デジタル放送信号とを多重する多重化部とを備えることを特徴とする請求項１記載のデジタル共聴システム。
【請求項７】
前記多重化部は、全部または一部のチャンネルに送られるデジタル放送信号に前記データ放送コンテンツを画面合成することを特徴とする請求項６記載のデジタル共聴システム。
【請求項８】
前記コンテンツサーバは、前記関連付け情報をＢＭＬ(Broadcasting Markup Language)形式で生成するＢＭＬ生成手段を備えることを特徴とする請求項１記載のデジタル共聴システム。
【請求項９】
前記信号変換部は、前記コンテンツサーバから送られた前記関連付け情報をＢＭＬ形式に変換し、しかる後にデータ放送コンテンツに変換するＢＭＬ変換手段を備えることを特徴とする請求項６記載のデジタル共聴システム。
【請求項１０】
デジタル放送信号を配信し、映像切替制御開始要求に応じて配信中のデジタル放送信号を任意のデジタル放送信号に切り替えて送出するデジタル放送送信部に対し通信ネットワークを介して接続されるコンテンツサーバにおいて、
前記デジタル放送信号の映像を特定する映像ＩＤと当該映像に連動して提供すべき関連付け情報とを対応付けたリストを記憶する記憶手段と、
前記デジタル放送送信部から切替対象となる映像ＩＤを含む映像切替情報を受信した場合、前記映像切替情報に含まれる前記映像ＩＤに基づいて、前記記憶手段に記憶されたリストを参照し、この参照結果に基づいて前記映像ＩＤに対応する関連付け情報を生成し、前記デジタル放送信号を他の信号と多重して放送受信端末装置に送信する編成部に対し前記映像ＩＤに対応する関連付け情報を送出し、しかる後に前記デジタル放送送信部に対し映像切替制御開始要求を送信する制御手段と、
この制御手段による関連付け情報の送出後に、前記放送受信端末装置に対し前記関連付け情報に切り替えるイベントメッセージを送信するイベント送信手段とを具備することを特徴とするコンテンツサーバ。
【請求項１１】
前記関連付け情報をＢＭＬ(Broadcasting Markup Language)形式で生成するＢＭＬ生成手段をさらに備えることを特徴とする請求項１０記載のコンテンツサーバ。
【発明の詳細な説明】
【技術分野】
【０００１】
本発明の実施形態は、デジタル放送信号を各放送受信端末装置に配信するデジタル共聴システム、及びこのシステムで使用されるコンテンツサーバに関する。
【背景技術】
【０００２】
監視カメラ等のアナログ映像を放送波に変調し有線で施設内に限定して配信する共聴設備を有する官公庁等においては、デジタル放送システムの対応化が進められている。この場合、監視カメラ等のアナログ映像のデジタル化に加え、施設内の情報をデータ放送として配信することも考えられる。データ放送では、受信機に設定した郵便番号に対応した地域情報等を提供している。
【０００３】
一般に、データ放送では、番組を構成する例えばＢＭＬ(Broadcasting Markup Language)コンテンツを含むコンポーネントをセクションと呼ばれるデータに分割し、管理情報であるＢＣＭＬ(Broadcast Contents Markup Language)情報を元にカルーセルという単位で繰り返し送出する。カルーセルはセクションデータの集まりである。受信機では、このカルーセルを受信し、番組を構成する全てのコンポーネントを受信した時点で番組内容の表示が完成する。
【０００４】
コンポーネントは複数のモジュールから構成されており、送出時にはセクションデータに分割されて送出される。天気予報画面を例にとると、画面フレームを構成するＢＭＬ文書、日本地図を示すイメージファイル、天気マークを示すイメージファイル、気温等を示すテキストファイルがコンポーネントを構成するモジュールとなり、送出時にはさらにセクションデータに分割される。
【先行技術文献】
【特許文献】
【０００５】
【特許文献１】特開２００９−１４７４７６号公報
【発明の概要】
【発明が解決しようとする課題】
【０００６】
ところで、共聴設備に入力されるアナログ映像は多数あり、別なシステム（以下、ＣＣＴＶシステム）から任意のタイミングで非同期に映像が切り替えられている。そのため、デジタル放送の１番組として本映像を配信した場合、現状用いられているデータ放送技術では、映像に関連した情報を提供することができない。
【０００７】
また、映像に関連したデータ放送コンテンツを動的に作成しデジタル放送設備から受信機に配信した場合、受信機側でデータ放送コンテンツを表示するための遅延時間が数十秒程度発生するため、映像とデータ放送コンテンツとの表示を同期させることができない。
【０００８】
本発明の目的は、共聴設備から受信機側へ映像と共に映像に関連した情報をデータ放送コンテンツにより提供することが可能で、また受信機側でデータ放送コンテンツの表示遅延なく、映像とデータ放送コンテンツを同期させて切り替えることが可能なデジタル共聴システム、及びこのシステムで使用されるコンテンツサーバを提供することにある。
【課題を解決するための手段】
【０００９】
実施形態によれば、デジタル放送信号の映像を通信ネットワークを介して配信し、映像切替制御開始要求に応じて配信中の映像を任意の映像に切り替えて送出するデジタル放送送信部と、通信ネットワークに接続され、デジタル放送送出部から通知される指示に基づいてデジタル放送信号の映像に連動して提供すべき関連付け情報を生成するコンテンツサーバと、このコンテンツサーバにより生成された関連付け情報と、デジタル放送送信部により送信されるデジタル放送信号とを多重し、この多重信号を選択的に再生する放送受信端末装置へ向けて送信する編成部とを具備し、コンテンツサーバは、デジタル放送信号の映像を特定する映像ＩＤと当該映像に連動して提供すべき関連付け情報とを対応付けたリストを記憶する記憶手段と、デジタル放送送信部から切替対象となる映像ＩＤを含む映像切替情報を受信した場合、映像切替情報に含まれる映像ＩＤに基づいて、記憶手段に記憶されたリストを参照し、この参照結果に基づいて映像ＩＤに対応する関連付け情報を生成し、映像ＩＤに対応する関連付け情報を編成部に送出し、しかる後に、デジタル放送送信部に対し映像切替制御開始要求を送信する制御手段と、この制御手段による関連付け情報の送出後に、放送受信端末装置に対し関連付け情報に切り替えるイベントメッセージを送信するイベント送信手段とを備えたデジタル共聴システムを提供できる。
【図面の簡単な説明】
【００１０】
【図１】第１の実施形態に係るデジタル共聴システムの構成を示すブロック図である。
【図２】上記図１に示したコンテンツサーバのデータベースの記憶内容の一例を示す図である。
【図３】データ放送コンテンツの構造を示す図である。
【図４】データ放送コンテンツがカルーセルに変換される一例を示す図である。
【図５】第２の実施形態に係るデジタル共聴システムの構成を示すブロックである。
【図６】第３の実施形態に係るＣＣＴＶシステムの構成を示すブロックである。
【図７】上記図６に示したＣＣＴＶサーバが有するグループテーブルの記憶内容の一例を示す図である。
【発明を実施するための形態】
【００１１】
以下、実施の形態について、図面を参照して説明する。
【００１２】
（第１の実施形態）  
図１は、第１の実施形態に係るデジタル共聴システムの構成を示すブロック図である。なお、本システムは、ＣＣＴＶシステム１Ａと共聴設備２Ａとに大別されて構成される。
【００１３】
ＣＣＴＶシステム１Ａは、道路や河川などの周辺にカメラ１１１〜１１ｎ（ｎは整数）を監視用に設置している。カメラ１１１〜１１ｎにより撮像されたアナログ映像信号は、それぞれエンコーダ１２１〜１２ｎに送られる。
【００１４】
エンコーダ１２１〜１２ｎは、それぞれ入力された映像信号を、例えばＭＰＥＧ２（Moving Picture Experts Group 2）方式によって符号化するもので、各エンコード出力はＩＰネットワークＮＷを介してデコーダ１３０に供給される。このデコーダ１３０は、ＣＣＴＶサーバ１４０からの映像切替制御によりＩＰネットワークＮＷ上の任意のデジタル映像信号を受信しアナログ映像信号に変換し、１波として送出する。
【００１５】
上記構成によるＣＣＴＶシステム１Ａから送出されたアナログ映像信号は、有線または無線によるネットワークを介して、共聴設備２Ａに設置されたデジタル放送装置の放送形式エンコーダ２１０に送られる。
【００１６】
放送形式エンコーダ２１０は、ＣＣＴＶシステム１Ａから供給されるアナログ映像信号を放送形式である、例えばＭＰＥＧ２−ＴＳ(Transport Stream)信号に変換する。この放送形式エンコーダ２１０の出力は、多重化装置２２０にてデータ放送コンテンツＴＳ信号と多重化されてＯＦＤＭ変調器２３０に供給される。
【００１７】
ＯＦＤＭ変調器２３０は、多重化されたＴＳ信号をデジタル放送標準方式のＯＦＤＭ（直交周波数分割多重）信号に変換し、所定のＲＦ(Radio Frequency)帯域に周波数変換して、デジタル放送信号の１波となるＲＦ信号として混合分配器２４０に出力する。
【００１８】
混合分配器２４０は、ＯＦＤＭ変調器２３０から出力されるＲＦ信号とアンテナＡＴにより受信される地上デジタル放送波とを混合し、各テレビジョン受信機３０１〜３０ｉ（ｉは整数）に配信する。各テレビジョン受信機３０１〜３０ｉは、混合分配器２４０からのＲＦ信号を受信し例えばリモコンによってチャンネルを選択操作することで、選択されたチャンネルのＴＳパケットを分離復調し、再生表示することができる。
【００１９】
ところで、本第１の実施形態では、ＣＣＴＶシステム１ＡにＣＣＴＶサーバ１４０及び操作卓１５０を備えるようにし、共聴設備２Ａにコンテンツサーバ２５０を備えるようにしている。これらＣＣＴＶサーバ１４０、操作卓１５０及びコンテンツサーバ２５０は、ＩＰネットワークＮＷを介して互いに接続されている。
【００２０】
ＣＣＴＶサーバ１４０は、操作卓１５０からの制御要求を受信後、コンテンツサーバ２５０に対して映像ＩＤとしての映像情報（管理番号、名称等）を通知すると共に、コンテンツサーバ２５０からの映像切替開始要求によりデコーダ１３０に対して映像切替制御を行う。
【００２１】
操作卓１５０は、デコーダ１３０から出力させるカメラ１１１の映像を選択するためのもので、選択結果はＣＣＴＶサーバ１４０に制御要求として送信される。
【００２２】
コンテンツサーバ２５０は、共聴設備２Ａに入力される各映像情報と連動して提供すべき情報（映像付近の河川情報、道路情報など）を関連付けた対比リストを格納するデータベース２５１を有する。このデータベース２５１は、図２に示すように、映像の管理番号や名称といった映像情報と、周辺地図を含む画面フレームを構成するＢＭＬ(Broadcasting Markup Language)文書、天気マークを示すイメージファイル、気温、水位等の河川情報や、事故、渋滞等の道路情報を示すテキストファイルとの対応関係を表す対比リストを格納するものである。
【００２３】
すなわち、コンテンツサーバ２５０は、データ放送コンテンツ用の情報提供元である河川情報・道路情報システム等からテレメータ情報や規制情報を取得し、データベース２５１に格納する。
【００２４】
また、コンテンツサーバ２５０は、コンテンツ送信制御部２５２と、イベント送信制御部２５３とを備えている。コンテンツ送信制御部２５２は、ＣＣＴＶサーバ１４０から映像切替情報の通知を受け、データベース２５１に格納された対比リストに従い、データ放送コンテンツを生成・送出する。また、データ放送画面上で映像と情報の同期をとるために、コンテンツ送出後にＣＣＴＶサーバ１４０へ映像切替制御開始要求を送出する。
【００２５】
イベント送信制御部２５３は、コンテンツ送信制御部２５２によるコンテンツ送出後に、データ放送送出装置２６０へイベントメッセージ通知制御開始要求制御を行う。
【００２６】
データ放送送出装置２６０は、コンテンツサーバ２５０から受信したデータ放送コンテンツを放送形式のＴＳ信号に変換する。また、イベントメッセージ通知制御開始要求を受信後、テレビジョン受信機３０１〜３０ｉへイベントメッセージを送信する。
【００２７】
上記構成において、以下にその運用について説明する。
【００２８】
まず、本システムでは、多重化装置２２０において、チャンネル＃１に映像信号＋データ放送コンテンツを割り当てて多重化する。このとき、データ放送コンテンツは映像信号に画面合成される。多重化装置２２０の出力はＯＦＤＭ変調器２３０でＲＦ信号に変換され、デジタル放送対応のテレビジョン受信機３０１〜３０ｉに送られる。なお、チャンネル＃２に映像信号のみ割り当て、チャンネル＃３にデータ放送コンテンツのみ割り当てるようにしてもよい。
【００２９】
このように、本システムでは、チャンネル毎に視聴形態を分けて放送するようにすれば、各テレビジョン受信機３０１〜３０ｉにおいて、チャンネルを切り替えるだけで、任意の視聴形態でデータ放送コンテンツを視聴できる。
【００３０】
さて、ＣＣＴＶシステム１Ａにおいて、警戒が必要な河川の映像を放送するべくオペレータが操作卓１５０を操作してカメラ１１１の映像を選択したとする。ここでは、選択したカメラ１１１の管理番号の情報を含む映像選択要求をＩＰネットワークＮＷを介してＣＣＴＶサーバ１４０に向けて送信する（図１（１））。
【００３１】
映像選択要求を受信するとＣＣＴＶサーバ１４０は、カメラ１１１の管理番号を含む映像切替通知をＩＰネットワークＮＷを介してコンテンツサーバ２５０に送信する（図１（２））。
【００３２】
コンテンツサーバ２５０は、ＣＣＴＶサーバ１４０から送られ映像切替情報に含まれるカメラ１１１の管理番号「Ａ−０１」に基づいてデータベース２５１に格納される対比リストを参照し、この管理番号「Ａ−０１」に対応する映像名称「○○河川」、カメラの周辺地図を示すＢＭＬコンテンツ、天気を示すイメージファイル、気温、水位等を示すテキストファイルを含むデータ放送コンテンツを生成し（図１（３））、データ放送送出装置２６０に送出する。
【００３３】
そして、データ放送送出装置２６０では、データ放送コンテンツをカルーセルに変換し、ＴＳとして送出する（図１（４））。ここで、１カルーセルにおいて、図３に示すように３つのモジュールＡ〜Ｃ（モジュールＩＤ１〜３）で構成されるコンテンツのセクション数（ブロック数）がそれぞれ６，２，３である。例えばモジュールＡはＢＭＬコンテンツであり、モジュールＢはイメージファイルであり、モジュールＣはテキストファイルである。
【００３４】
そして、１カルーセルは、図４に示す順序で配列されているとする。なお、ＴＳのＤＩＩ(Download Information Indication)には全てのモジュールＡ〜ＣのＩＤが記載されている。
【００３５】
コンテンツサーバ２５０は、データ放送コンテンツの送出後に、ＣＣＴＶサーバ１４０へ映像切替制御開始要求を送信するとともに、データ放送送出装置２６０へイベントメッセージ通知制御開始要求を送信する（図１（５））。
【００３６】
ＣＣＴＶサーバ１４０は、コンテンツサーバ２５０から映像切替制御開始要求を受信すると、エンコーダ１２１のエンコード出力をデコーダ１３０でデコードするようにデコーダ１３０に対する映像切替制御を行う（図１（６））。また、データ放送送出装置２６０は、コンテンツサーバ２５０からイベントメッセージ通知制御開始要求を受信すると、各テレビジョン受信機３０１〜３０ｉに対しデータ放送コンテンツに切り替えるためのイベントメッセージを送信（イベント通知）する。
【００３７】
このイベント通知により各テレビジョン受信機３０１〜３０ｉの視聴者は、データ放送コンテンツが配信されるチャンネル＃１を選択操作して警戒すべき○○河川等の周囲状況をリアルタイムに知ることができる。
【００３８】
以上のように上記第１の実施形態では、コンテンツサーバ２５０において、カメラ１１１〜１１ｎで撮影される映像の管理番号と当該映像に連動して提供すべきデータ放送コンテンツとを対応付けた対比リストをデータベース２５１に予め記憶しておき、ＣＣＴＶサーバ１４０から切替対象となる映像の管理番号を含む映像切替情報を受信した場合に、映像切替情報に含まれる映像の管理番号に基づいて、データベース２５１中の対比リストを参照し、この参照結果に基づいてデータ放送コンテンツを動的に生成し、データ放送送出装置２６０に送出してデータ放送コンテンツを各テレビジョン受信機３０１〜３０ｉに事前に配信し、データ放送送出装置２６０へのデータ放送コンテンツの送出後にＣＣＴＶサーバ１４０に対し映像の切替指示を送信するとともに、各テレビジョン受信機３０１〜３０ｉに対しデータ放送コンテンツに切り替えるためのイベントメッセージを送信するようにしている。
【００３９】
従って、テレビジョン受信機３０１〜３０ｉ側でデータ放送コンテンツの表示遅延なく、テレビジョン受信機３０１〜３０ｉで表示しているデジタル放送の映像とデータ放送コンテンツとを同期させて同時に切り替えることができる。
【００４０】
（第２の実施形態）  
図５は、第２の実施形態に係るデジタル共聴システムの構成を示すブロック図である。なお、図５において、上記図１と同一部分には同一符号を付して詳細な説明を省略する。
【００４１】
ＣＣＴＶシステム１Ｂにおいて、ＣＣＴＶサーバ１６０は、予め設定された時間毎に、例えばカメラ１１１からカメラ１１５に切り替えるべく映像切替通知をコンテンツサーバ２５０に対し送信する。
【００４２】
また、共聴設備２Ｂにおいて、コンテンツサーバ２５０により生成された映像に関連付けられる情報は、編成装置２７０に供給される。この編成装置２７０は、コンテンツサーバ２５０からテキストデータから成る関連付け情報を取り込み、放送形式エンコーダ２１０から送られるＴＳ信号を映像信号に復調し、この復調された映像信号の所定箇所に関連付け情報を画面合成してＯＦＤＭ変調器２３０に送る。
【００４３】
上記構成において、以下にその運用について説明する。
【００４４】
ＣＣＴＶシステム１Ｂに備えられる、例えばＣＣＴＶサーバ１６０において、予め設定された時間を計時したことにより、ＣＣＴＶサーバ１６０は、カメラ１１１の管理番号を含む映像切替通知をＩＰネットワークＮＷを介してコンテンツサーバ２５０に送信する（図５（１））。
【００４５】
コンテンツサーバ２５０は、ＣＣＴＶサーバ１６０から送られる映像切替情報に含まれるカメラ１１５の管理番号「Ｅ−０５」に基づいてデータベース２５１に格納される対比リストを参照し、この管理番号「Ｅ−０５」に対応する関連付け情報（例えば、映像中に「事故発生」と表示するテロップ情報等）を生成し（図５（２））、編成装置２７０に送出する（図５（３））。
【００４６】
そして、編成装置２７０では、放送形式エンコーダ２１０から送られるＴＳ信号を映像信号に復調し、この復調された映像信号の所定箇所に関連付け情報を画面合成してＯＦＤＭ変調器２３０に送る。なお、このとき編成装置２７０で行う画面合成は、一部のチャンネルに送られる映像信号にのみ行なっても、全てのチャンネルに送られる映像信号に対して行なってもよい。
【００４７】
また、コンテンツサーバ２５０は、関連付け情報の送出後に、ＣＣＴＶサーバ１６０へ映像切替制御開始要求を送信するとともに、編成装置２７０へイベントメッセージ通知制御開始要求を送信する（図５（４））。
【００４８】
ＣＣＴＶサーバ１６０は、コンテンツサーバ２５０から映像切替制御開始要求を受信すると、エンコーダ１２５のエンコード出力をデコーダ１３０でデコードするようにデコーダ１３０に対する映像切替制御を行う（図５（５））。また、編成装置２７０は、コンテンツサーバ２５０からイベントメッセージ通知制御開始要求を受信すると、放送形式エンコーダ２１０から送られるＴＳ信号を映像信号に復調し、この復調された映像信号の所定箇所に関連付け情報を画面合成してＯＦＤＭ変調器２３０に送る。これにより各テレビジョン受信機３０１〜３０ｉの視聴者は、例えばチャンネル＃１を選択操作して××道路に事故発生のテロップをリアルタイムに確認することができる。
【００４９】
以上のように上記第２の実施形態では、ＣＣＴＶサーバ１６０によりコンテンツサーバ２５０に対し予め設定される時間ごとに映像切替情報を通知するようにしているので、ＣＣＴＶシステム１Ｂ側でオペレータの手動操作を必要とすることなく、関連付け情報を提供するべく任意のカメラ１１５の映像に自動的に切り替えることができる。
【００５０】
また、上記第２の実施形態によれば、編成装置２７０によりデジタル放送信号の映像画面に関連付け情報の文字を重ねるようにしているので、同期処理等が不要となり、共聴設備２Ｂの構成が簡略化される。
【００５１】
（第３の実施形態）  
図６は、第３の実施形態に係るＣＣＴＶシステムの構成を示すブロック図である。なお、図６において、上記図１及び上記図５と同一部分には同一符号を付して詳細な説明を省略する。
【００５２】
第３の実施形態では、カメラ１１１〜１１ｎ、ＣＣＴＶサーバ１４０，１６０は、グループＧ１，Ｇ２に分割される。ＣＣＴＶサーバ１４０，１６０には、グループテーブルが記憶される。グループテーブルは、図７に示すように、グループＧ１，Ｇ２と、これらグループＧ１，Ｇ２に属する複数のカメラ１１１〜１１ｎとの対応関係を、グループごとの切替方式を指定する情報と、グループに対するカメラの登録方式を指定する情報と共に記憶したものである。
【００５３】
グループへのカメラの登録方式には、例えばカメラの立ち上がり時に自動的に登録する方式と、各カメラごとにユーザの登録操作により個別に登録する方式と、特定の端末において、オペレータの登録操作により一括して登録する方式とがある。
【００５４】
ＣＣＴＶサーバ１６０は、予め設定された時間を計時するごとに、グループテーブルを参照して、自己のグループＧ１に属するカメラ１１１，１１２，１１３を順に選択してカメラ映像をデコーダ１３０から送出させる。
【００５５】
一方、ＣＣＴＶサーバ１４０は、操作卓１５０から選択要求が到来した場合に、グループテーブルを参照して、自己のグループＧ２に属するカメラ１１４〜１１ｎの中の指定されたカメラ映像をデコーダ１３０から送出させる。なお、デコーダ１３０は、グループの数だけ用意される。すなわち、本実施形態では、デコーダ１３０は二重に構成されている。
【００５６】
以上のように上記第３の実施形態では、グループとカメラ１１１〜１１ｎ、ＣＣＴＶサーバ１４０，１６０とを対応付けておくことにより、あるグループでは操作卓１５０のオペレータによる映像切替要求により任意のカメラ映像に切り替え、一方、別のグループについては自動的に任意のカメラ映像に切り替えるというように、グループごとに適切なデジタル放送信号、つまりカメラ映像の切替処理を行うことができる。
【００５７】
（その他の実施形態）  
上記第１の実施形態では、コンテンツサーバ２５０によりＢＭＬコンテンツを作成する例について説明した。これ以外に、例えばデータ放送送出装置２６０にＢＭＬコンテンツを作成する機能を設けておいてもよい。このようにすれば、コンテンツサーバ２５０の処理負荷を軽減でき、これにより汎用サーバを使用できる。
【００５８】
その他、上記実施形態そのままに限定されるものではなく、実施段階ではその要旨を逸脱しない範囲で構成要素を変形して具体化できる。また、上記実施形態に開示されている複数の構成要素の適宜な組み合わせであってもよい。例えば、実施形態に示される全構成要素から幾つかの構成要素を削除してもよい。さらに、異なる実施形態にわたる構成要素を適宜組み合わせてもよい。
【００５９】
これら実施形態によれば、受信機側でデータ放送の関連付け情報の表示遅延なく、受信機側で表示しているデジタル放送の映像とデータ放送の関連付け情報とを同期させて同時に切り替えることができる。
【符号の説明】
【００６０】
１Ａ，１Ｂ…ＣＣＴＶシステム、２Ａ，２Ｂ…共聴設備、１１１〜１１ｎ…カメラ、１２１〜１２ｎ…エンコーダ、１３０…デコーダ、１４０…ＣＣＴＶサーバ、１５０…操作卓、２１０…放送形式エンコーダ、２２０…多重化装置、２３０…ＯＦＤＭ変調器、２４０…混合分配器、２５０…コンテンツサーバ、２５１…データベース、２５２…コンテンツ送信制御部、２５３…イベント送信制御部、２６０…データ放送送出装置、２７０…編成装置、３０１〜３０ｉ…テレビジョン受信機。
【図１】
2012060404.tif 000003
【図２】
2012060404.tif 000004
【図３】
2012060404.tif 000005
【図４】
2012060404.tif 000006
【図５】
2012060404.tif 000007
【図６】
2012060404.tif 000008
【図７】
2012060404.tif 000009